(57)【要約】【課題】  ストレッチ効果が十分に期待でき、公園等の景観を損なうこともなく、量産性にも優れたベンチを提供する。【解決手段】  脚部２に揺動機構６を介して座部３及び背凭れ部４を支持し、揺動機構６の作用によって、座部３及び背凭れ部４が一体的に揺動するベンチ１を構成する。揺動機構６は、脚部２に支持された支持軸１９と、この支持軸１９に連結された揺動緩衝装置２０とから構成される。背凭れ部４には、表面中央部に長さ方向に延長する膨出部１７ａを形成した背板１７を固定してもよい。【選択図】          図１
2009106394.tif 000002
【特許請求の範囲】
【請求項１】
脚部に揺動機構を介して座部及び背凭れ部を支持し、前記揺動機構の作用によって、前記座部及び前記背凭れ部が一体的に揺動することを特徴とするベンチ。
【請求項２】
前記揺動機構は、前記脚部に支持された支持軸と、この支持軸に連結された揺動緩衝装置とから構成されることを特徴とする請求項１に記載のベンチ。
【請求項３】
前記背凭れ部に、表面中央部に長さ方向に延長する膨出部を形成した背板を固定したことを特徴とする請求項１又は２に記載のベンチ。
【発明の詳細な説明】
【技術分野】
【０００１】
本発明は、公園、オフィス街の広場、ビルの屋上等の主として屋外に設置され、休息できると共に、健康維持、増進を図ることもできるベンチに関する。
【背景技術】
【０００２】
近年、高齢化社会の到来による国家の医療費負担の増大、個人レベルでの健康に対する関心の高まり等を受けて、国民の健康維持、増進は、極めて重要な課題となってきた。
そこで、一般市民の憩いの場である公園、広場等においても、健康維持、増進を念頭に置いたサービスの充実が求められている。このような要求に応えて、本来の休息機能に加え、健康維持、増進機能を持たせたベンチが設置されるようになってきた。
【０００３】
健康維持、増進機能を持たせたベンチとして、従来、背凭れ部を長い、曲率半径の大きい円弧状として、利用者が背凭れ部に凭れることによって、背中を伸ばすことができ、ストレッチ効果を奏するものが知られている。
又、背凭れ部の表面に半球状の突出部を複数設けて、利用者が背凭れ部に凭れることによって、背中を突出部が押圧し、指圧効果を奏するものも知られている。
【０００４】
さらに、弾性筒状体８内にコイルバネ９を収納した支持柱６に背板７を取付けることによって、背凭れ部３を後方に所定角度倒せるようにして、リクライニング機能を持たせたものも知られている（例えば、特許文献１参照）。
【０００５】
【特許文献１】特開平６−２１７８４５号公報
【発明の開示】
【発明が解決しようとする課題】
【０００６】
背凭れ部を長い、曲率半径の大きい円弧状としたベンチは、背凭れ部が巨大なものとなり、特異な形状となるので、公園等の景観を損なうものとなっていた。
又、背凭れ部は固定されており、その形状のみで機能を果たすものであるから、ストレッチ効果は多くを期待できるものではなかった。
【０００７】
背凭れ部の表面に半球状の突出部を複数設けたベンチは、複数の半球状の突出部が特異な外観をもたらし、やはり、公園等の景観を損なうものとなっていた。
又、半球状の突出部材を背凭れ部に固定する構造となっており、突出部材を固定する際に手間がかかるため、ベンチの量産性に問題があり、高価にならざるを得なかった。
【０００８】
さらに、背凭れ部３を後方に所定角度倒せるようにしたベンチは、支持柱６の構造が複雑になる上、単に休息時の快適性が得られるに過ぎない。
【０００９】
本発明は、上記のような従来の問題点に鑑みて為されたものであって、その目的とするところは、ストレッチ効果が十分に期待でき、公園等の景観を損なうこともなく、量産性にも優れたベンチを提供することにある。
【課題を解決するための手段】
【００１０】
上記目的を達成するために、本発明のベンチは、脚部に揺動機構を介して座部及び背凭れ部を支持し、前記揺動機構の作用によって、前記座部及び前記背凭れ部が一体的に揺動することを特徴とする。
【００１１】
前記揺動機構は、前記脚部に支持された支持軸と、この支持軸に連結された揺動緩衝装置とから構成されるのが好ましい。
【００１２】
かかる構成によれば、背凭れ部に負荷を掛けることにより、座部及び背凭れ部が一体的に揺動し、しかも、ゆっくりと、円滑に作動するから、ストレッチング効果が十分に期待できると共に、ストレッチング運動を快適に、安全に行うことができる。
【００１３】
又、前記背凭れ部に、表面中央部に長さ方向に延長する膨出部を形成した背板を固定してもよい。
【発明を実施するための最良の形態】
【００１４】
以下、本発明のベンチの実施形態について、図面を参照しつつ具体的に説明する。
ここで、図１は、本発明のベンチの斜視図、図２は、図１に示すベンチの側面図、図３  は、図１に示すベンチの正面図、図４は、揺動緩衝装置の斜視図、図５は、図４に示す揺動緩衝装置の分解斜視図である。
【００１５】
本発明の一実施例のベンチ１は、図１乃至３に示すように、脚部２、座部３、背凭れ部４、肘掛け部５及び揺動機構６から構成されている。
【００１６】
脚部２，２は、図１乃至３に示すように、ベンチ１の両側端部に配設してあり、アルミニウム等の金属材料を鋳造して、逆Ｔ字状に成形したものである。
脚部２の下端部は固定部７とし、アンカーボルト９によってコンクリート基礎１０に固定する。又、上端部は支持部８とし、揺動機構６を支持してある。
【００１７】
図１乃至３に示すように、ベンチ１の両側端部に略Ｓ字状を呈する支持杆１１，１１を配設してあり、支持杆１１，１１同士を前側下端部、後側上端部において連結杆１２，１２によって連結してある。
【００１８】
座部３は、図１乃至３に示すように、複数の座板１３，１３，・・・を左右の支持杆１１，１１にボルト１４、ナット１５によって固定して、構成してある。
座部３は、先端部を若干下方傾斜させると共に、後端部に向かって緩やかに下方傾斜させてある。
【００１９】
背凭れ部４は、図１乃至３に示すように、複数の背板１６，１６，・・・を左右の支持杆１１，１１にボルト１４、ナット１５によって固定して、構成してある。
背凭れ部４は、下端部から中間部に向かって緩やかに後方傾斜させ、中間部から上端部に向かって曲率半径の大きい円弧状としてある。
又、利用者が腰を掛けた時に、背中が当接する位置に配設される背板１７は、表面中央部に膨出部１７ａを形成してある。
【００２０】
肘掛け部５は、図１乃至３に示すように、アルミニウム等の金属を鋳造して、略三角形状に成形したものであり、ベンチ１の両側端部に設置してある。
肘掛け部５は、前側下端部、後側上端部において、取付部材１８を介して座板１３、背板１６にボルト１４、ナット１５によって固定してある。
【００２１】
揺動機構６は、図１乃至３に示すように、支持軸１９及び揺動緩衝装置２０から構成され、支持軸１９は、脚部２の支持部８に支持してある。
【００２２】
揺動緩衝装置２０は、図４及び５に示すように、矩形環状の金属から成る外殻２１内の四隅部に、４個の円筒状のゴムから成る弾性部材２２を配置し、外殻２１と４５°変位させ、各弾性部材２２の周面を各外壁面で押圧させて、矩形環状の金属から成る内殻２３を配置してある。
【００２３】
揺動緩衝装置２０では、図４に示すように、回転モーメントを負荷すれば、弾性部材２２が圧縮変形して、内殻２３を適宜角度回動することができ、回転モーメントを除去すれば、弾性部材２２の弾性力によって、内殻２３を初期位置に戻すことができるようになっている。
【００２４】
そして、図３に示すように、前記支持軸１９の一端部を内殻２３の一端部に固定し、前記支持杆１１の適宜個所を外殻２１の上側外壁面に取付部材２４を介してボルト１４、ナット１５によって固定してある。
【００２５】
本発明の一実施例のベンチ１は、以上のような構成であって、以下のように使用することによって、所期の作用、効果を奏する。
【００２６】
利用者５１は、図６に示すように、臀部をベンチ１の座部３に載せ、背中を背凭れ部４に凭れて、ベンチ１に腰を掛ければ、通常のように、休息をとることができる。
この時、背板１７の膨出部１７ａが背中を押圧するから、利用者５１は、指圧を受けたと同様の効果を覚え、背中の凝りを解すことができ、血行を良くすることができる。
【００２７】
又、図６に示すように、頭部を後方に倒し、両腕を上方に上げ、背中を後方に反らせて伸ばせば、利用者５１の体重が背凭れ部４に負荷されるので、揺動緩衝装置２０の外殻２１が後方に適宜角度回動する。
そして、座部３及び背凭れ部４も後方に適宜角度回動し、利用者５１の胴体はさらに後方に倒れると共に、脚部が地面から少し浮き上がる。
【００２８】
よって、利用者５１は、身体全体を伸ばすことができ、ストレッチングを効果的に行うことができて、身体全体の疲労を取ることができる。
又、非常にリラックスした状態となるから、暫くの間、そのままの状態で仮眠を取ることもでき、疲労回復に大きな効果がある。
【００２９】
利用者５１が、図６に示すように、頭部を前方に戻し、両腕を体側に下げ、背中を前方に戻せば、背凭れ部４に係る負荷がなくなるので、揺動緩衝装置２０の外殻２１が前方に回動する。
そして、座部３及び背凭れ部４も前方に回動して、通常位置に戻って、利用者５１は、通常のように、ベンチ１に腰を掛けた状態となる。
【００３０】
以上のように、本発明のベンチ１は、座部３及び背凭れ部４を揺動機構６を介して脚部２に支持してあるから、背凭れ部４に負荷を掛けることにより、座部３及び背凭れ部４が一体的に揺動するから、ストレッチング効果が十分に期待でき、身体全体の疲労を取ることができる。
【００３１】
ここで、揺動機構６は、支持軸１９及び揺動緩衝装置２０から構成してあり、利用者５１の動作と共に、座部３及び背凭れ部４がゆっくりと、円滑に作動するから、ストレッチング運動を快適に、安全に行うことができる。
【００３２】
背凭れ部４は、中間部から上端部にかけて円弧状としただけであって、特に巨大で、特異な形状ではないから、公園等の景観を損なうことはない。
又、背板１７の表面中央部に長さ方向に延長する膨出部１７ａを形成してあるから、特異な外観をもたらさず、やはり、公園等の景観を損なうことはない。
【００３３】
そして、背板１７に膨出部１７ａを形成してあり、背板１７と同時に膨出部１７ａを固定できるので、固定作業に手間がかからず、ベンチ１の量産性に優れ、製造コストを低減させることができる。
【図面の簡単な説明】
【００３４】
【図１】本発明のベンチの斜視図である。
【図２】図１に示すベンチの側面図である。
【図３】図１に示すベンチの正面図である。
【図４】揺動緩衝装置の斜視図である。
【図５】図４に示す揺動緩衝装置の分解斜視図である。
【図６】本発明のベンチの使用状態図である。
【符号の説明】
【００３５】
１  ベンチ
２  脚部
３  座部
４  背凭れ部
６  揺動機構
１７  背板
１７ａ  膨出部
１９  支持軸
２０  揺動緩衝装置
【図１】
2009106394.tif 000003
【図２】
2009106394.tif 000004
【図３】
2009106394.tif 000005
【図４】
2009106394.tif 000006
【図５】
2009106394.tif 000007
【図６】
2009106394.tif 000008